(57)【要約】【課題】農作物や植物などが結露による病害に感染することを防止する加温システムを提供する。【解決手段】結露センサ２と、バーナーやボイラーなどを備えた暖房機５と、結露センサ２にて測定された結露値に基づいて暖房機５を制御する制御装置４と、を備えている。さらに暖房機５による加温処理の開始及び終了の条件となる結露値を記憶する結露情報記憶部７を備え、制御装置４が、結露センサ２にて測定された結露値と結露情報記憶部７に記憶された結露値とを比較して、前記暖房機５を制御する。【選択図】　　　　図１
2004105123.tif 000002
【特許請求の範囲】
【請求項１】
バーナーやボイラーなどを備えた暖房機を制御する制御装置であって、中央演算処理装置と、前記暖房機による加温処理の開始及び終了の条件となる結露値を記憶する結露情報記憶部と、を備え、
前記中央演算処理装置が、結露センサにて測定された結露値と前記結露情報記憶部に記憶された結露値とを比較して、前記暖房機を制御することを特徴とする制御装置。
【請求項２】
時間情報を出力するタイマーを備え、
前記結露情報記憶部が時間帯ごとに結露値を記憶し、
前記中央演算処理装置が、前記タイマーが示す時間に対応した前記結露情報記憶部に記憶された結露値と前記結露センサにて測定された結露値とを比較して、前記暖房機を制御することを特徴とする、請求項１に記載の制御装置。
【請求項３】
前記結露情報記憶部が、結露が発生し続ける時間を所定の時間内に短縮するように結露値を時間帯ごとに記憶し、
前記中央演算処理装置が、前記暖房機を制御して結露が発生し続ける時間を所定時間内に短縮することを特徴とする、請求項２に記載の制御装置。
【請求項４】
結露センサと、バーナーやボイラーなどを備えた暖房機と、前記結露センサにて測定された結露値に基づいて前記暖房機を制御する制御装置と、を備えていることを特徴とする、加温システム。
【請求項５】
前記暖房機による加温処理の開始及び終了の条件となる結露値を記憶する結露情報記憶部を備え、
前記制御装置が、前記結露センサにて測定された結露値と前記結露情報記憶部に記憶された結露値とを比較して、前記暖房機を制御することを特徴とする、請求項４に記載の加温システム。
【請求項６】
時間情報を出力するタイマーを備え、
前記結露情報記憶部が時間帯ごとに結露値を記憶し、
前記制御装置が、前記タイマーが示す時間に対応した前記結露情報記憶部に記憶された結露値と前記結露センサにて測定された結露値とを比較して、前記暖房機を制御することを特徴とする、請求項５に記載の加温システム。
【請求項７】
結露が発生し続ける時間を所定の時間内に短縮するように、前記結露情報記憶部に結露値が時間帯ごとに設定され、
前記制御装置が、前記結露情報記憶部の結露値と前記結露センサにて測定された結露値に基づいて、前記暖房機を制御することを特徴とする、請求項６に記載の加温システム。
【請求項８】
温度センサを備え、前記制御装置がこの温度センサにて測定された温度値に基づいて前記暖房機を制御することを特徴とする、請求項４〜７のいずれかに記載の加温システム。
【請求項９】
前記暖房機による加温処理の開始及び終了の条件となる温度値を記憶する温度情報記憶部を備え、
前記制御装置が、前記温度センサにて測定された温度値と前記温度情報記憶部に記憶された温度値とを比較して、前記暖房機を制御することを特徴とする、請求項８に記載の加温システム。
【請求項１０】
前記制御装置が、前記結露センサにて測定された結露値よりも前記温度センサにて測定された温度値を優先して前記制御部の制御に用いることを特徴とする、請求項８又は９に記載の加温システム。
【請求項１１】
結露が発生し続ける時間を、農作物や植物に結露による病害が感染するのに要する時間内に短縮することによって、農作物や植物に病害が感染するのを防止することを特徴とする、病害防除方法。
【請求項１２】
結露が発生し続ける時間を短縮するように、バーナーやボイラーなどを備えた暖房機を運転させることを特徴とする、請求項１１に記載の病害防除方法。
【請求項１３】
結露センサにより結露値を測定し、
前記暖房機が、前記結露センサにて測定された結露値に基づいて、結露が発生し続ける時間を病害が感染するのに要する時間内に短縮するように、運転することを特徴とする、請求項１２に記載の病害防除方法。
【発明の詳細な説明】
【０００１】
【発明の属する技術分野】
本発明は、ビニールハウスなどの温室内で栽培する農作物や植物が黒枯病，灰色かび病，すすがび病，菌核病などの病害に感染するのを防止する制御装置、加温システム及び病害防除方法に関する。
【０００２】
【従来の技術】
従来、農作物や植物を寒さから保護したり、開花、結実の促成や抑制などを図るために、ビニールハウスなどの温室を利用した温室栽培や温室園芸が広く行われている。
【０００３】
このような温室栽培や温室園芸では、温室内を農作物や植物の栽培や園芸などに適した人工的な環境にしているため、例えば温室内が外環境よりも温度が高い場合があり、このような内外の温度差がある状態では時として温室内に結露が発生する。
この結露は、農作物や植物の葉などに付着すると病害の発生の原因となり、また病害の発生は結露が発生し続ける時間（以下、結露時間と称す）の長さに比例して急増することが知られている。
【０００４】
このため、従来の温室の結露防止のための制御方法では、温室内の湿度を測定して湿度が高い状態にあると、温室内をボイラーなどで加温して、湿度が低くなるようにして、結露の発生を防止することが知られている（例えば、特許文献１，２参照）。このような湿度の測定に湿度センサが用いられている。
【０００５】
【特許文献１】
特開平５−２９６４９３号公報（第３−４頁，図１）
【特許文献２】
特開平５−２９６４９２号公報（第２−３頁，図１）
【０００６】
【発明が解決しようとする課題】
このように従来の温室の結露防止のための制御方法（例えば、特許文献１，２参照）では、結露の発生を防止するために、湿度センサにて湿度を測定して、湿度が高い状態にあるときにボイラーを作動させて、温室内の湿度を低くすることが行われているが、高湿度状態時に必ずしも結露が発生するものではないことから、確実に結露の発生を防止することはできなかった。
また、従来（例えば、特許文献１，２参照）では、上記のように、結露による病害の発生防除を湿度を低くするだけの制御で行っていたが、各種病原菌の感染生態に関わりなく行っていたため、病害の発生を確実に防止することはできなかった。
【０００７】
本発明は上記課題を解決するために創作されたもので、農作物や植物などが結露による病害に感染することを防止する制御装置、加温システム及び病害防除方法を提供することを目的とする。
【０００８】
【課題を解決するための手段】
上記目的を達成するために、本発明の制御装置は、バーナーやボイラーなどを備えた暖房機を制御する制御装置であって、中央演算処理装置と、前記暖房機による加温処理の開始及び終了の条件となる結露値を記憶する結露情報記憶部と、を備え、前記中央演算処理装置が、結露センサにて測定された結露値と前記結露情報記憶部に記憶された結露値とを比較して、前記暖房機を制御することを特徴とする。
【０００９】
さらに制御装置は、時間情報を出力するタイマーを備え、前記結露情報記憶部が時間帯ごとに結露値を記憶し、前記中央演算処理装置が、前記タイマーが示す時間に対応した前記結露情報記憶部に記憶された結露値と前記結露センサにて測定された結露値とを比較して、前記暖房機を制御することを特徴とする。
【００１０】
さらに制御装置は、前記結露情報記憶部が結露が発生し続ける時間を所定の時間内に短縮するように結露値を時間帯ごとに記憶し、前記中央演算処理装置が前記暖房機を制御して結露が発生し続ける時間を所定時間内に短縮することを特徴とする。
【００１１】
上記目的を達成するために、本発明の加温システムは、結露センサと、バーナーやボイラーなどを備えた暖房機と、前記結露センサにて測定された結露値に基づいて前記暖房機を制御する制御装置と、を備えている。
【００１２】
さらに、本加温システムは、前記暖房機による加温処理の開始及び終了の条件となる結露値を記憶する結露情報記憶部を備え、前記制御装置が前記結露センサにて測定された結露値と前記結露情報記憶部に記憶された結露値とを比較して前記暖房機を制御する。
また、本加温システムは、時間情報を出力するタイマーを備え、前記結露情報記憶部が時間帯ごとに結露値を記憶し、前記制御装置が、前記タイマーが示す時間に対応した前記結露情報記憶部に記憶された結露値と前記結露センサにて測定された結露値とを比較して、前記暖房機を制御する。
【００１３】
また、本加温システムは、結露が発生し続ける時間を所定の時間内に、好ましくは病害が農作物や植物に感染するに要する時間内に短縮するように、前記結露情報記憶部に結露値が時間帯ごとに設定され、前記制御装置が、前記結露情報記憶部の結露値と前記結露センサにて測定された結露値に基づいて、前記暖房機を制御することを特徴としている。
【００１４】
本加温システムが温度センサを備え、前記制御装置がこの温度センサにて測定された温度値に基づいて前記暖房機器を制御してもよい。
また、本加温システムは、前記暖房機による加温処理の開始及び終了の条件となる温度値を記憶する温度情報記憶部を備え、前記制御装置が、前記温度センサにて測定された温度値と前記温度情報記憶部に記憶された温度値とを比較して、前記暖房機を制御してもよい。
さらに本加温システムは、前記制御装置が前記結露センサにて測定された結露値よりも前記温度センサにて測定された温度値を優先して前記制御部の制御に用いるようにしてもよい。
【００１５】
また、本発明の防除方法は、結露が発生し続ける時間を、農作物や植物に結露による病害が感染するのに要する時間内に短縮することによって、農作物や植物に病害が感染するのを防止することを特徴としている。
【００１６】
また、本防除方法は、結露が発生し続ける時間を短縮するように、バーナーやボイラーなどを備えた暖房機を運転させる。また結露センサにより結露値を測定し、前記暖房機が、前記結露センサにて測定された結露値に基づいて、結露が発生し続ける時間を病害が感染するのに要する時間内に短縮するように、運転してもよい。
【００１７】
【作用】
本発明によれば、従来、結露を検知し、結露により抵抗が変化する結露センサを使用することで、結露発生度合いを正確且つ確実に測定することができるとともに、結露発生を正確に予測することができる。
よって、病害の発生と密接に関連している結露の状況を結露センサで測定し、温室内の空気を加温処理することで、結露時間を一定時間内にすることができ、農作物や植物などが結露による病害に感染することを確実に防止できる。
【００１８】
また、本発明では、各種病原菌の感染生態に基づいて、結露時間を農作物や植物が病害に感染するのに要する最も短い時間内に、即ち感染最短時間内に、短縮させて病害の発生を防止できる。例えば、難防除病害であるすすがび病，黒枯病，灰色かび病，菌核病などが茄子の葉に感染するのに要する感染最短時間は最低１２時間と知られているので、本発明は、結露時間を１２時間内に短縮することで、そのような病害の発生を確実に防止することができる。
また、本発明では、温室内の空気を加温処理することで病害を防除できることにより、農薬散布回数を少なくすることができる。そして、この農薬散布回数の減少により、農薬代の節約，散布労力の軽減，作業者の農薬被爆回数の減少による安全化を図れる。
【００１９】
【発明の実施の形態】
以下、図面に基づいて本発明の実施形態を説明する。
図１は本発明の実施形態に係る加温システム１の構成例を示すブロック図であり、この図１に示すように、加温システム１は、結露センサ２，温度センサ３，制御装置４，暖房機５により構成されている。
【００２０】
結露センサ２は、樹脂とカーボンの分散体からなり、感湿膜の吸脱湿で膨潤，収縮しカーボン粒子間の接触抵抗の変化現象を応用して結露状態を検知する検出器である。この結露センサ２は、相対湿度９４％以上で抵抗値が急激に上昇する特徴を有する。従来では、このような特性に鑑みて、結露センサ２は、抵抗値が急激に変化することで、相対湿度９４％以上の状態を検出し出力するだけの単なるスイッチとして利用されているが、本発明の実施形態に係る加温システム１では、結露センサ２を相対湿度９４％−１００％の領域で結露値を正確に測定できることから、アナログセンサとして使用することを特徴としている。
【００２１】
温度センサ３は、雰囲気温度を検出するものであり、例えば、サーミスタにより構成される。
【００２２】
暖房機５は、熱を生成して温室などの被加温物の加温を行うものであり、例えばバーナー，ボイラー，温湯管などの熱源５ａと送風機５ｂとを備えており、後述する制御装置４により運転が制御される。送風機５ｂは、熱源５ａにて生成された熱を温室内に送るとともに温室内の空気を対流させるために風を起こすために用いられる。そして、暖房機５自体が動作を停止し熱源５ａが余熱を発している時には、その余熱を有効利用するために空気を対流させるために用いられるものでもある。
【００２３】
制御装置４は結露センサ２や温度センサ３にて測定された結露値や温度値に基づいて暖房機５を制御するものであり、このため、制御装置４は、図１に示すように、中央演算処理装置６，記憶部７，カレンダー・タイマ８，電源供給部９，バックアップ電源１０，Ａ／Ｄコンバータ１１，１２及びキー入力部１３を備えている。
【００２４】
記憶部７は、暖房機５の運転の開始及び終了の条件となる結露値及び温度値をそれぞれ時間帯ごとに記憶するものである。
ここで、図２及び図３は、それぞれ記憶部７に保持される時間帯別の結露値や温度値（暖房機５の運転の開始／終了の条件となる値）の例を示す図である。
【００２５】
記憶部７には、図２及び図３に示すように、後述する加温制御や除湿制御を実行する時間帯を示す実行時間情報も記憶されており、この設定された実行時間情報を後述する中央演算処理装置６が参照して加温制御や除湿制御を行う。また、図２では１７時−１８時の時間帯、図３では１５時−１６時の時間帯が実行時間情報として設定されていないため、これらの時間帯において中央演算処理装置６は加温制御や除湿制御を行わない。
【００２６】
図２及び図３に示す設定例では、一日を４つの時間帯に分けて各値を記憶部７が保持するようになっているが、結露値や温度値は５つや６つ等その他複数の時間帯ごとに設定されてもよく、また、例えば一日を１２時−１４時，１７時−２０時，２０時−０時，０時−４時，５時−８時，８時−９時と６つの時間帯に分けて、各時間帯別に結露値や温度値をそれぞれ記憶部７に設定してもよい。
【００２７】
なお、本発明の実施形態に係る加温システム１においては、１日を複数の時間帯に分けて温室内の結露値や温度値を管理するが、防除対象の病害の感染生態の特徴を考慮して、１日を複数の時間帯に分けて、各時間帯別に暖房機５の運転の開始及び終了の結露値や温度値を設定する。
例えば、温室内で茄子を栽培する場合、茄子の葉が結露により黒枯病，灰色かび病，すすがび病，菌核病などの病害に感染するのに要する感染最短時間は１２時間であるから、この結露が連続して発生し続ける時間が１２時間内に短縮されるように暖房機５の運転の開始及び終了の結露値や温度値が設定されている。
【００２８】
また、記憶部７は、加温制御による運転継続時間や送風機５ｂによる送風時間も保持されている。
なお、図１に示す構成例では記憶部７が一つの記憶装置で構成されているが、暖房機５の運転の開始終了条件を結露値と温度値との別々で記憶するように、二つの記憶装置で構成されてもよい。
【００２９】
カレンダー・タイマ８は、時計のように刻一刻と年，月，日，時，分の情報を中央演算処理装置６に出力するとともに、熱源５ａや送風機５ｂが運転を開始してからの時間をそれぞれカウントして中央演算処理装置６に出力する。
なお、記憶部７に記憶される値（結露値及び温度値）やカレンダー・タイマ８が示す情報は、キー入力部１３を操作することにより新たに設定し直すことができるようになっている。
【００３０】
また、カレンダー・タイマ８と記憶部７とは、バックアップ電源１０により電流が常に供給されるようになっており、本システムの主電源である電源供給部９が停電時にあるときでも、電気が供給されて、常に設定された値を保持するようになっている。
【００３１】
中央演算処理装置（ｃｅｎｔｒａｌ　ｐｒｏｃｅｓｓｉｎｇ　ｕｎｉｔ）　６は、結露センサ２や温度センサ３にて測定された結露値や温度値に基づいて、暖房機５（熱源５ａ，送風機５ｂ）を制御し、この制御を行うに当たり、記憶部７に設定されている値（結露値や温度値）とカレンダー・タイマ８が示す時間情報とを参照するように構成されている。なお、結露センサ２及び温度センサ３から出力されるアナログ値（結露値，温度値）はＡ／Ｄコンバータ１１、１２を経由して中央演算処理装置６へ送られる。
【００３２】
中央演算処理装置６は、結露センサ２にて測定された結露値と記憶部７にその時間帯において設定されている結露値とを比較するとともに、温度センサ３にて測定された温度値と記憶部７にその時間帯において設定されている温度値とを比較して、暖房機５を制御する。なお、以下において、暖房機５によって加温処理が行われるように中央演算処理装置６が行う暖房機５に対する制御のうち、温度値に基づいて行う制御を加温制御と称し、結露値に基づいて行う制御を除湿制御と称する。
【００３３】
ここで、中央演算処理装置６は、結露センサ２にて測定された結露値よりも温度センサ３にて測定された温度値を優先して処理し、即ち除湿制御よりも加温制御を優性して行う。
【００３４】
次に、上記の如く構成された本発明の実施形態に係る加温システム１の加温制御と除湿制御の処理手順について説明する。
先ず、加温制御の処理手順について説明する。
図４は加温制御の処理手順を示すフローチャートであり、加温制御の処理を開始すると（ステップＳ０）、中央演算処理装置６は、記憶部７内に設定されている加温制御の実行時間情報を参照して現在の時刻が制御実行時間内にあるか判断する（ステップＳ１）。現在の時刻が実行時間内にあるならば、中央演算処理装置６は、更に、現在が加温中であるを判断する（ステップＳ１のＹｅｓルートからステップＳ２）。
【００３５】
ここで、現在加温中でなければ、中央演算処理装置６は、温度センサ３にて測定された温度値が記憶部７に記憶されているその時間帯における加温開始温度よりも低いか比較する（ステップＳ２のＮｏルートからステップＳ３）。次に、測定温度値が記憶部７に記憶されている温度値よりも低い場合は、中央演算処理装置６は、熱源５ａの運転時間を計るタイマーをスタートさせて（ステップＳ３のＹｅｓルートからステップＳ４）、その後熱源５ａが運転を開始するように制御し（ステップＳ５）、処理を一旦終了する（ステップＳ６）。
【００３６】
なお、ステップＳ３にて温度センサ３により測定された温度が記憶部７に設定した制御開示温度よりも高い状態にあるときは、中央演算処理装置６は加温制御の処理を終了する（ステップＳ３のＮｏルートからステップＳ６）。
【００３７】
加温途中である場合には、中央演算処理装置６は、温度センサ３にて測定された温度が記憶部７に設定されている制御終了温度よりも高いかどうか比較する（ステップＳ２のＹｅｓルートからステップＳ７）。ここで、測定温度が終了温度よりも低い場合は、更に、中央演算処理装置６は、バーナー運転時間（熱源５ａを作動させる時間）がタイムオーバーであるか判断し（ステップＳ７のＮｏルートからステップＳ８）、運転継続時間内にあるのならば熱源５ａを継続して運転させる（ステップＳ８のＮＯルートからステップＳ６）。
【００３８】
一方、ステップＳ７にて、測定温度値が終了温度よりも高い場合や、ステップＳ８にて、運転継続時間がタイムオーバーになった場合は、中央演算処理装置６は送風機５ｂの送風時間を計るタイマーをスタートさせるとともに送風機５ｂの運転を開始するように制御して（ステップＳ７のＹｅｓルートからステップＳ９，ステップＳ８のＹｅｓルートからステップＳ９）、その後熱源５ａの運転を終了させる（ステップＳ１０）。
【００３９】
また、ステップＳ１にて、現在が加温制御時間帯内でなければ、中央演算処理装置６は除湿制御による加温が行われているか判断し（ステップＳ１のＮｏルートからステップＳ１１）、除湿制御中であれば送風制御（ステップＳ１１のＹｅｓルートからステップＳ９）を、除湿制御中でなければ加温制御の処理を終了する（ステップＳ１１のＮｏルートからステップＳ６）。
【００４０】
ここで、図５は本発明の実施形態に係る加温システム１による加温制御を示すタイムチャートであり、このタイムチャートには加温制御時間帯Ｉにおける制御装置４（中央演算処理装置６）が実行する暖房機５に対する制御とそれによる温室内の温度変化とを示している。
【００４１】
図示するように、加温制御を行う時間帯Ｉの開始時Ｔ１において、温室内の温度が記憶部７内に設定されている運転開始温度Ａ１〔Ｋ（絶対温度）〕以下であるから、中央演算処理装置６は熱源５ａ及び送風機５ｂに運転を開始するように制御する。その後、温室内の空気の加温が行われ温室内の温度が記憶部７内に設定されている運転終了温度Ａ２〔Ｋ〕に至った時刻Ｔ２になると、中央演算処理装置６は熱源５ａの運転を終了させる。また、この時刻Ｔ２から送風機５ｂの運転継続時間がカウントされ、送風設定時間が終了する時刻Ｔ３まで余熱の送風が行われる。
【００４２】
このような時刻Ｔ１〜Ｔ３において行われた加温制御が、時間帯Ｉ内において温室内の温度が運転開始温度Ａ１以下になった場合に、図５に示すように繰り返し行われる。
【００４３】
次に、除湿制御の処理手順について説明する。
図６は除湿制御の処理手順を示すフローチャートであり、除湿制御を開始すると（ステップＰ０）、中央演算処理装置６は、記憶部７内に設定されている除湿制御の実行時間情報を参照して現在の時刻が制御実行時間内にあるか判断し（ステップＰ１）、現在の時刻が実行時間内にあるならば、中央演算処理装置６は、更に、現在、加温制御が停止中かを判断する（ステップＰ１のＹｅｓルートからステップＰ２）。
【００４４】
ここで、加温制御が実行中であれば中央演算処理装置６は除湿制御の処理を終了する（ステップＰ２のＮｏルートからステップＰ３）。このように、本加温システム１では除湿制御よりも加温制御を優先して実行するようになっている。
【００４５】
一方、現在加温制御が停止中であれば、中央演算処理装置６は、現在が加温中であるかを判断する（ステップＰ２のＹｅｓルートからステップＰ４）。ここで現在加温中でなければ、中央演算処理装置６は、結露センサ２にて測定された結露値が記憶部７に記憶されているその時間帯における加温開始結露値よりも高いか比較する（ステップＰ４のＮｏルートからステップＰ５）。
【００４６】
次に、測定結露値が記憶部７に記憶されている結露値よりも高い場合は、中央演算処理装置６は、熱源５ａの運転時間を計るタイマーをスタートさせて（ステップＰ５のＹｅｓルートからステップＰ６）、更に熱源５ａが運転を開始するように制御し（ステップＰ７）、処理を一旦終了する（ステップＰ３）。
【００４７】
なお、ステップＰ５にて結露センサ２により測定された結露値が記憶部７に設定した制御開始結露値よりも低い状態にあるときは、中央演算処理装置６は除湿制御の処理を終了する（ステップＰ５のＮｏルートからステップＰ３）。
【００４８】
また、加温途中である場合には、中央演算処理装置６は、結露センサ２にて測定された結露値が記憶部７に設定されている制御終了結露値よりも低いかどうか比較する（ステップＰ４のＹｅｓルートからステップＰ８）。ここで、測定結露値が終了結露値よりも高い場合は、更に、中央演算処理装置６は、バーナー運転時間がタイムオーバーになっているか判断し（ステップＰ８のＮｏルートからステップＰ９）、運転継続時間内にあるのならばバーナーを継続して運転させる（ステップＰ９のＮＯルートからステップＰ３）。
【００４９】
一方、ステップＰ８にて測定結露値が終了結露値よりも低い場合や、ステップＰ９にて運転継続時間がタイムオーバーになった場合は、中央演算処理装置６は送風機５ｂの送風時間を計るタイマーをスタートさせるとともに送風機５ｂの運転を開始するように制御して（ステップＰ８のＹｅｓルートからステップＰ１０，ステップＰ９のＹｅｓルートからステップＰ１０）、熱源５ａの運転を終了させる（ステップＰ１１）。
【００５０】
また、ステップＰ１にて、現在が除湿制御時間帯内でなければ、加温制御による加温が行われているか判断し（ステップＰ１のＮｏルートからステップＰ１２）、加温制御中であれば送風制御（ステップＰ１２のＹｅｓルートからステップＰ１０）を、加温制御中でなければ除湿制御の処理を終了する（ステップＰ１２のＮｏルートからステップＰ３）。
【００５１】
ここで、図７は本発明の実施形態に係る加温システム１による除湿制御を示すタイムチャートであり、このタイムチャートには除湿制御時間帯ＩＩにおける制御装置４（中央演算処理装置６）が実行する暖房機５に対する制御とそれによる温室内の結露値変化とを示している。
【００５２】
この図７に示すように、除湿制御を行う時間帯ＩＩの開始時ｔ１において、温室内の結露値が記憶部７内に設定されている運転開始結露値Ｂ１以上であるから、中央演算処理装置６は熱源５ａ及び送風機５ｂに運転を開始するように制御する。その後、温室内の空気の加温が行われ温室内の結露値が記憶部７内に設定されている運転終了結露値Ｂ２に至った時刻ｔ２になると、中央演算処理装置６は熱源５ａの運転を終了させる。また、この時刻ｔ２から送風機５ｂの運転継続時間がカウントされ、送風設定時間が終了する時刻ｔ３まで余熱の送風が行われている。
【００５３】
このような時刻ｔ１〜ｔ３において行われた除湿制御が、時間帯ＩＩ内において温室内の結露が運転開始結露値Ｂ１以上になった場合に、図７に示すように繰り返し行われる。
【００５４】
次に、本発明の実施形態に係る加温システム１による病害防除方法について説明する。
本加温システム１による病害防除方法は、茄子の栽培を例として説明すると、温室内で茄子を栽培する場合、茄子の葉が結露により黒枯病，灰色かび病，すすがび病，菌核病などの病害に感染するのに要する感染最短時間が１２時間であるから、この結露が発生し続ける時間を１２時間内に短縮する。
【００５５】
ここで、図８は本発明の実施形態に係る加温システム１の病害防除方法の実施例を示す図であり、図中のグラフは茄子を栽培する温室内の結露値変化例を示し、実線が加温システム１による温室内の空気を加温した場合の結露値の実施例を、点線が加温システム１による制御を受けていないときの結露値の実施例を示している。
【００５６】
本発明の実施形態に係る加温システム１による病害防除方法を実行すると、即ち、制御装置４が時刻τ１　−τ２　とτ３　−τ４　との時間帯（時間帯α，β）で除湿制御を行うことで、結露時間を茄子の葉に感染する病害が発生するのに要する感染最短時間内である１１時間に短縮することができ、黒枯病，灰色かび病，すすがび病，菌核病などの病害が発生しなかった。
一方、図８の点線で示されるように、加温システム１による空気の加温の制御が行われない比較例の場合は、１８時−９時の間で結露値が急激に上昇し、結露が１５時間発生して、黒枯病，灰色かび病，すすがび病，菌核病などの病害が発生した。
【００５７】
このように、本発明の実施形態に係る加温システム１によれば、結露時間を難防除病害であるすすがび病，黒枯病，灰色かび病，菌核病などが茄子の葉に感染するのに要する感染最短時間内（１２時間内）に短縮することで、そのような病害の発生を確実に防止することができる。
また、加温システム１によれば、温室内の空気を加温処理することで病害を防除できることにより、農薬散布回数を少なくすることができる。そして、この農薬散布回数の減少により、農薬代の節約，散布労力の軽減，作業者の農薬被爆回数の減少などを図ることができる。
【００５８】
また、従来、一定の結露で動作するスイッチとして使用していた結露センサ２をアナログセンサとして使用することで、結露センサ２にて結露発生度合いを正確且つ確実に測定することや、結露発生を正確に予測することができる。そのため、農作物や植物などが結露による病害に感染することを確実に防止できる。
【００５９】
また、制御装置４が結露値よりも温度値を優先して処理し、暖房機５を制御することで、省燃費で温室内を適温に維持できる。
【００６０】
上記説明では、結露センサ２が電気抵抗式で構成される場合を例示したが、結露センサ２は水晶振動子式，光学式のものを用いてもよい。
【００６１】
上記説明では、茄子の葉を例に説明したが、その他の農作物や植物の場合も、それらに感染する病害の感染生態の特徴を考慮して、除湿制御を行う時間設定を行えばよい。
【００６２】
上記詳述したが、本発明は、発明の趣旨を逸脱しない範囲において様々な形態で実施できることは明白である。
【００６３】
【発明の効果】
本発明によれば、従来、一定の結露で動作するスイッチとして使用していた結露センサをアナログセンサとして使用することで、結露センサにて結露発生度合いを正確且つ確実に測定すると共に、結露発生を正確に予測することができる。よって、病害の発生と密接に関連している結露の状況を結露センサで測定し、結露が一定時間内にすることができ、農作物や植物などが結露による病害に感染することを確実に防止できる。
【００６４】
また、本発明では、各種病原菌の感染生態に基づいて、結露時間を感染最短時間内に短縮させて病害の発生を防止することができる。
また、本発明では、温室内の空気を加温処理することで病害を防除できることにより、農薬散布回数を少なくすることができる。そして、この農薬散布回数の減少により、農薬代の節約，散布労力の軽減，作業者の農薬被爆回数の減少により安全化を図ることができる。
【図面の簡単な説明】
【図１】本発明の実施形態に係る加温システムを示すブロック図である。
【図２】記憶部に保持される時間帯別の温度値（加温処理の開始及び終了の条件となる値）の例を示す図である。
【図３】記憶部に保持される時間帯別の結露値（加温処理の開始及び終了の条件となる値）の例を示す図である。
【図４】本発明の実施形態に係る加温システムにおける加温制御の処理手順を示すフローチャートである。
【図５】本発明の実施形態に係る加温システムによる加温制御を示すタイムチャートである。
【図６】本発明の実施形態に係る加温システムにおける除湿制御の処理手順を示すフローチャートである。
【図７】本発明の実施形態に係る加温システムによる除湿制御を示すタイムチャートである。
【図８】本発明の実施形態に係る加温システムの病害防除方法の実施例を説明するための図である。
【符号の説明】
１　　加温システム
２　　結露センサ
３　　温度センサ
４　　制御装置
５　　暖房機
５ａ　熱源
５ｂ　送風機
６　　中央演算処理装置
７　　記憶部
８　　カレンダー・タイマ
９　　電源供給部
１０　バックアップ電源
１１，１２　　Ａ／Ｄコンバータ
１３　キー入力部
【図１】
2004105123.tif 000003
【図２】
2004105123.tif 000004
【図３】
2004105123.tif 000005
【図４】
2004105123.tif 000006
【図５】
2004105123.tif 000007
【図６】
2004105123.tif 000008
【図７】
2004105123.tif 000009
【図８】
2004105123.tif 000010